(57)【特許請求の範囲】
【請求項１】
記録媒体に記録された複数の画像を読み出す読出手段と、
上記複数の画像を順次再生して表示するスライドショー表示機能によって画像を表示する表示手段と、
上記表示に関する設定を行なう設定手段と、
上記スライドショー表示機能によって上記複数の画像を順次再生して表示する際に、上記設定手段による設定に従い、各上記画像が上記スライドショー表示機能以外で再生された累計再生回数又は累計再生時間に基づいて、各上記画像に対する重み付けを設定し、上記重み付けに基づいて各上記画像の表示時間を制御する制御手段と
を具える再生装置。
【請求項２】
上記記録媒体に上記表示に関する設定内容が記録されている場合には、
上記制御手段は、上記設定内容に基づいて、上記スライドショー表示機能における各上記画像の表示時間を制御する
請求項１に記載の再生装置。
【請求項３】
上記表示に関する設定内容が等間隔で再生して表示する等間隔モードと全体時間を指定して再生表示する全体時間指定モードとを有する場合には、
上記制御手段は、上記等間隔モード又は上記全体時間指定モードに基づいて上記スライドショー表示機能における各上記画像の表示時間を制御する
請求項２に記載の再生装置。
【請求項４】
上記全体時間指定モードを設定した場合において、各上記画像が再生された累計再生回数又は累計再生時間に基づく重み付けを行なうようにして上記スライドショー表示機能における各上記画像の表示時間を制御する
請求項３に記載の再生装置。
【請求項５】
上記全体時間指定モードを設定した場合において、上記等間隔モードによる再生を選択するか、累計再生回数又は累計再生時間に基づく重み付けを行なうようにして再生するかを選択する選択手段
を具える請求項３に記載の再生装置。
【請求項６】
上記設定手段は、
ユーザが上記表示手段に取付けられたタッチパネルを操作することにより行なう
請求項１に記載の再生装置。
【請求項７】
表示させた上記画像の表示開始時刻を計測することにより取得した再生日時情報と、再生終了時刻を計測することにより算出した再生時間情報とを用いて再生頻度データエントリを生成し、当該再生頻度データエントリを再生頻度データに追加することにより当該再生頻度データを更新する再生頻度データ更新手段と
を具える請求項１に記載の再生装置。
【請求項８】
上記制御手段は、上記表示に関する設定内容を上記記録媒体に記録する
請求項２に記載の再生装置。
【請求項９】
記録媒体に記録された複数の画像を読み出す読出ステップと、
表示手段に上記複数の画像を順次再生して表示するスライドショー表示機能によって画像を表示する表示ステップと、
設定手段により上記表示に関する設定を行なう設定ステップと、
上記スライドショー表示機能によって上記複数の画像を順次再生して表示する際に、上記設定手段による設定に従い、各上記画像が上記スライドショー表示機能以外で再生された累計再生回数又は累計再生時間に基づいて、各上記画像に対する重み付けを設定し、上記重み付けに基づいて各上記画像の表示時間を制御する制御ステップと
を具える再生方法。
【発明の詳細な説明】
【技術分野】
【０００１】
本発明は再生装置及び再生方法に関し、特にいわゆるスライドショー表示機能を有する光ディスク記録再生装置に適用して好適なものである。
【背景技術】
【０００２】
従来、ディジタルカメラ等の電子式撮像装置やＤＶＤ（Digital Versatile Disk）レコーダ等の映像再生装置には、再生機能の一つとして、ユーザが指定した複数の画像を次々と１枚ずつ表示させる機能（以下、これをスライドショー表示機能と呼ぶ）が搭載されている。
【０００３】
かかるスライドショー表示機能では、通常、記録媒体に記録された複数の画像を表示画面上にサムネイル画像として一覧表示させておき、ユーザが指定した所望のサムネイル画像を順次１枚ずつ同一の設定時間分だけ拡大表示させるようになされている（例えば、特許文献１参照）。
【先行技術文献】
【特許文献】
【０００４】
【特許文献１】特開２００３−２８８０６８公報（〔００６７〕及び〔００７３〕、図７及び図８）
【発明の概要】
【発明が解決しようとする課題】
【０００５】
ところで、このようなスライドショー表示機能を搭載する従来の撮像装置や映像再生装置では、スライドショー表示の際に設定された各画像の表示時間等の設定情報を保存しないものが大部分であり、ユーザが装置全体の電源をオフ状態にした場合にはその設定情報が喪失してしまうのが現状であった。
【０００６】
一方、設定情報を保存可能な装置を用いる場合でも、装置に内蔵された不揮発性メモリ等に保存するものが一般的であり、外部から装脱可能な記録媒体に保存するものは未だ提案されていないため、設定内容を当該装置以外の他の装置において有効にさせることは非常に困難であった。仮に他の装置においてスライドショー表示機能を実行させる際には、ユーザによる再設定が必要であり、そのための操作が煩雑であった。
【０００７】
またスライドショー表示機能のうち表示時間を設定するにあたって、第１に、上述した引用文献１のような全ての画像に対して同一の表示時間を設定する場合には、スライドショー表示に要する所望の全時間を指定した上で、当該全時間を指定された全ての画像の数で割る演算処理を実行しなければならない煩雑さがあった。
【０００８】
また第２に、ユーザが所望する画像のみを異なる時間長で表示させるように設定する場合には、各画像ごとに個別に表示時間を設定するものが大部分であるため、ユーザが設定操作を指定した画像の数だけ行わねばならない煩雑さがあると共に、スライドショー表示に要する全時間を所望時間に設定するための演算処理が非常に煩雑となるおそれがあった。
【０００９】
従って、画像の枚数にかかわらずスライドショー表示に要する全時間をユーザが所望する時間に自由に設定することができれば、ユーザが指定した時間内に全ての画像を目視確認できるといった利便性を得ることができる。またスライドショー表示の設定内容を本装置のみならず記録媒体を介して他の装置においても反映させることができれば非常に望ましい。
【００１０】
本発明は以上の点を考慮してなされたもので、ユーザの嗜好に合わせた設定内容を容易に他機種において反映させることができる再生装置及び再生方法を提案しようとするものである。
【課題を解決するための手段】
【００１１】
かかる課題を解決するため本発明においては、記録媒体に記録された複数の画像を読み出す読出手段と、複数の画像を順次再生して表示するスライドショー表示機能によって画像を表示する表示手段と、表示に関する設定を行なう設定手段と、スライドショー表示機能によって複数の画像を順次再生して表示する際に、設定手段による設定に従い、各画像がスライドショー表示機能以外で再生された累計再生回数又は累計再生時間に基づいて、各画像に対する重み付けを設定し、重み付けに基づいて各画像の表示時間を制御する制御手段とを設けるようにした。
【００１２】
この結果この再生装置では、記録媒体に記録された複数の画像のうち指定された各画像を順次再生させるスライドショー表示機能を実行する際に、当該各画像がスライドショー表示機能以外で再生されたときの再生時間を、単に等間隔に設定するのみならず、各画像が再生された累計再生回数又は累計再生時間に基づく重み付けを行なうことができるので、ユーザの嗜好に応じた表示態様でスライドショー表示機能を実行させることができる。
【００１３】
また本発明においては、記録媒体に記録された複数の画像を読み出す読出ステップと、表示手段に複数の画像を順次再生して表示するスライドショー表示機能によって画像を表示する表示ステップと、設定手段により、表示に関する設定を行なう設定ステップと、スライドショー表示機能によって複数の画像を順次再生して表示する際に、設定手段による設定に従い、各画像がスライドショー表示機能以外で再生された累計再生回数又は累計再生時間に基づいて、各画像に対する重み付けを設定し、重み付けに基づいて各画像の表示時間を制御する制御ステップとを設けるようにした。
【００１４】
この結果この再生方法では、記録媒体に記録された複数の画像のうち指定された各画像を順次再生させるスライドショー表示機能を実行する際に、当該各画像がスライドショー表示機能以外で再生されたときの再生時間を、単に等間隔に設定するのみならず、各画像が再生された累計再生回数又は累計再生時間に基づく重み付けを行なうようにして制御するようにしたことにより、ユーザの嗜好に応じた表示態様でスライドショー表示機能を実行させることができる。
【発明の効果】
【００１５】
上述のように本発明によれば、記録媒体に記録された複数の画像を読み出す読出手段と、複数の画像を順次再生して表示するスライドショー表示機能によって画像を表示する表示手段と、表示に関する設定を行なう設定手段と、スライドショー表示機能によって複数の画像を順次再生して表示する際に、設定手段による設定に従い、各画像がスライドショー表示機能以外で再生された累計再生回数又は累計再生時間に基づいて、各画像に対する重み付けを設定し、重み付けに基づいて各画像の表示時間を制御する制御手段とを設けたことにより、記録媒体に記録された複数の画像のうち指定された各画像をスライドショー表示機能によって再生させて表示する際に、当該各画像がスライドショー表示機能以外で再生されたときの再生時間を、単に等間隔に設定するのみならず、各画像が再生された累計再生回数又は累計再生時間に基づく重み付けを行なうことができるので、ユーザの嗜好に応じた表示態様でスライドショー表示機能を実行させることができ、かくしてユーザの嗜好に応じた表示態様でスライドショー表示機能を実行させることができる再生装置を実現できる。
【００１６】
また本発明においては、記録媒体に記録された複数の画像を読み出す読出ステップと、表示手段に複数の画像を順次再生して表示するスライドショー表示機能によって画像を表示する表示ステップと、設定手段により表示に関する設定を行なう設定ステップと、スライドショー表示機能によって複数の画像を順次再生して表示する際に、設定手段による設定に従い、各画像がスライドショー表示機能以外で再生された累計再生回数又は累計再生時間に基づいて、各画像に対する重み付けを設定し、重み付けに基づいて各画像の表示時間を制御する制御ステップとを設けたことにより、記録媒体に記録された複数の画像のうち指定された各画像をスライドショー表示機能によって再生させて表示する際に、当該各画像がスライドショー表示機能以外で再生されたときの再生時間を、単に等間隔に設定するのみならず、各画像が再生された累計再生回数又は累計再生時間に基づく重み付けを行なうことができるので、ユーザの嗜好に応じた表示態様でスライドショー表示機能を実行させることができ、かくしてユーザの嗜好に応じた表示態様でスライドショー表示機能を実行させることができる再生方法を実現できる。
【図面の簡単な説明】
【００１７】
【図１】本実施の形態による光ディスク記録再生装置の構成を示すブロック図である。
【図２】コンテンツ選択画面の表示状態の説明に供する略線的な平面図である。
【図３】スライドショー設定画面の表示状態の説明に供する略線的な平面図である。
【図４】設定オプション画面の表示状態の説明に供する略線的な平面図である。
【図５】スライドショー設定処理手順の説明に供するフローチャートである。
【図６】スライドショー設定処理手順の説明に供するフローチャートである。
【図７】スライドショーファイルの記録状態の説明に供する略線図である。
【図８】タイトルファイルの階層構造の説明に供する略線図である。
【図９】再生頻度データ解釈処理手順の説明に供するフローチャートである。
【図１０】再生頻度データ更新処理手順の説明に供するフローチャートである。
【図１１】スライドショー再生処理手順の説明に供するフローチャートである。
【図１２】画像時間調整処理手順の説明に供するフローチャートである。
【発明を実施するための形態】
【００１８】
以下図面について、本願発明の一実施の形態について説明する。
【００１９】
（１）本実施の形態による光ディスク記録再生装置の構成
図１において、１は全体として本実施の形態による光ディスク記録再生装置を示し、外部から供給される映像信号Ｓ１及び音声信号Ｓ２を光ディスク（ＤＶＤ）２に記録し、又は光ディスク２から再生した映像信号Ｓ３及び音声信号Ｓ４を外部に出力し得るようになされている。
【００２０】
すなわちかかる光ディスク記録再生装置１においては、ユーザによる操作部３の操作に応じて記録モードが選択されると、装置全体の制御を司るシステム制御マイコン４は、外部機器（図示せず）から順次供給される映像信号Ｓ１及び音声信号Ｓ２をそれぞれ入力端子５Ａ、５Ｂを介してビデオ符号器６及びオーディオ符号器７に取り込み、それぞれ所定の符号化処理を施した後、ファイル生成器８に供給する。
【００２１】
このファイル生成器８は、システム制御マイコン４の制御の下で、符号化された映像データＤ１及び音声データＤ２を同期させて合成したファイルデータＤ３を生成した後、メモリコントローラ９に送出する。このメモリコントローラ９は、必要に応じてメモリ１０をバッファとして用いながら、ファイルデータＤ３をエラー訂正符号／復号器１１に送出して、例えばセクタ単位（２〔kbyte〕単位）ごとに所定の誤り訂正符号を付加した後、続くデータ変復調器１２に送出して、ＥＦＭ（Eight to Fourteen Modulation）変調処理を施し、かくして得られた記録データＤ４を光ピックアップ１３及び磁界変調ドライバ１４に送出する。
【００２２】
光ピックアップ１３は、レーザダイオード、コリメータレンズ、対物レンズ及び受光素子等の光学系デバイスと、レーザダイオードドライバ等の電気系デバイスとを有し、供給される記録データＤ４に応じて変調した光ビームを光ディスク２の記録面に照射する。
【００２３】
またこのとき光ピックアップ１３は、光ディスク２からの反射光に基づいてトラッキングエラー信号及びフォーカスエラー信号等のサーボエラー信号Ｓ５と、プッシュプル信号Ｓ６とを生成し、これらの信号をデータ変復調器１２及び続くエラー訂正符号／復号器１１を介してドライブ制御マイコン１５に送出する。
【００２４】
ドライブ制御マイコン１５は、供給されるサーボエラー信号Ｓ５に基づいてサーボ回路１６を制御してスピンドルモータ１７を駆動することにより、光ディスク２を所定速度で回転駆動する。またドライブ制御マイコン１５は、サーボエラー信号Ｓ５に基づいてエラー訂正符号／復号器１１及びデータ変復調器１２を介して磁界変調ドライバ１４を制御してスレッドモータ１８を駆動することにより、光ディスク２上の光ビームのビームスポット（以下、これを単にビームスポットと呼ぶ）を光ディスク２の記録面に形成されたデータトラック（プリグルーブ又はランド）に沿って当該光ディスク２の径方向に移動させる。
【００２５】
さらにドライブ制御マイコン１５は、サーボエラー信号Ｓ５に基づいてサーボ回路１６を制御して、光ピックアップ１３内の図示しない２軸アクチュエータを駆動制御することより、トラッキング制御及びフォーカス制御を行う。
【００２６】
一方、データ変復調器１２は、供給されるプッシュプル信号Ｓ６をデコード処理することにより、光ディスク２におけるそのときのビームスポットの絶対番地を検出し、これをエラー訂正符号／復号器１１及び続くメモリコントローラ９を介してシステム制御マイコン４に送出する。
【００２７】
すなわちデータ変復調器１２は、プッシュプル信号Ｓ６をその内部に設けられた中心周波数22.05〔Hz〕とする±１〔kHz〕の範囲のバンドパスフィルタ回路を通すことにより当該プッシュプル信号Ｓ６に含まれるウォブル成分を抽出すると共に、当該ウォブル成分にＦＭ復調処理を施すことによりそのときビームスポットが位置している光ディスク２上の絶対番地を検出し、これをアドレス情報Ｓ７としてシステム制御マイコン４に送出する。
【００２８】
またデータ変復調器１２は、上述のようなデコード処理により得られる光ディスク２上での絶対番地が変化するごとに（すなわち光ディスク２におけるビームスポットが走査するセクタが変わるごとに）、これを知らせるシンク割込信号Ｓ８をエラー訂正符号／復号器１１及び続くメモリコントローラ９を介してシステム制御マイコン４に送出する。
【００２９】
かくしてシステム制御マイコン４は、データ変復調器１２から与えられるこれらアドレス情報信号Ｓ７及びシンク割込信号Ｓ８に基づいて、光ディスク２におけるそのときの記録位置を順次認識し、当該認識結果に基づいて記録データＤ４を正しく光ディスク２に記録し得るように、必要な制御処理を実行する。
【００３０】
これに対してユーザによる操作部３の操作に応じて再生モードが選択されると、システム制御マイコン４は、ドライブ制御マイコン１５を制御することにより、上述の記録モード時と同様にして、光ディスク２を所定速度で回転駆動させると共に、ビームスポットを光ディスク２のデータトラックに沿って移動させ、かつトラッキング制御及びフォーカス制御を行わせる。
【００３１】
またシステム制御マイコン４は、上述した光ピックアップ１３内のレーザダイオードを駆動することにより光ビームを光ディスク２に向けて発射させる。この結果この光ビームが光ディスク２の記録面において反射し、その反射光に基づき得られるＲＦ信号でなる光ディスク２から読み出された読出しデータＤ５が光ピックアップ１３からデータ変復調器１２を介してエラー訂正符号／復号器１１に与えられる。
【００３２】
エラー訂正符号／復号器１１は、ＰＬＬ（Phase Locked Loop）回路、同期データ検出部、ＥＦＭ復調部、ＣＩＲＣデコード部及びレイヤードＥＣＣ復調部から構成されており、ＰＬＬ回路において供給される読出しデータＤ５からクロックを抽出し、当該抽出したクロックを読出しデータＤ５と共に同期データ検出部に送出する。
【００３３】
同期データ検出部は、供給されるクロックに基づいて、上述した同期データのデータパターンよりも前後に所定ピットずつ大きいパルス幅の同期データ検出用ウィンドウパルスを生成する。そして同期データ検出部は、この同期データ検出用ウィンドウパルスを順次検出すると共に、検出結果に基づいて、読出しデータＤ５を所定単位で順次ＥＦＭ復調部に送出する。
【００３４】
そしてこの読出しデータＤ５は、この後ＥＦＭ復調部においてＥＦＭ復調処理され、ＣＩＲＣデコード部においてＣＩＲＣ復号化処理され、さらにレイヤードＥＣＣ復調部において誤り訂正処理が施されることにより記録前の元のフォーマットのデータに変換され、この後メモリコントローラ９を介してファイル復号器１９に送出される。なおエラー訂正符号／復号器１１は、上述の各種処理を実行する際に、メモリ２０をバッファとして必要に応じて用いるようになされている。
【００３５】
ファイル復号器１９は、読出しデータＤ５を映像データＤ６及び音声データＤ７に分離した後、それぞれビデオ復号器２１及びオーディオ復号器２２に送出する。ビデオ復号器２１は、映像データＤ６に対して所定の復号化処理を施した後、出力端子２３Ａを介して外部に出力すると共に表示部２４に送出して表示画面上に映像表示させる。またオーディオ復号器２２は、音声データＤ７に対して所定の復号化処理を施した後、出力端子２３Ｂを介して外部に出力すると共にスピーカ２５に送出して音声出力させる。
【００３６】
このようにしてこの光ディスク記録再生装置１では、外部から供給される映像信号Ｓ１及び音声信号Ｓ２を光ディスク２に記録したり、当該光ディスク２に記録されている映像音声データ（読出しデータ）Ｄ５を再生して外部に出力し得るようになされている。
【００３７】
なお表示部２４は、ＬＣＤ（Liquid Crystal Display）でなる表示画面上にタッチパネル（図示せず）が重畳して取り付けられた構成からなる。かかるタッチパネルは、外部から接触を受けると当該接触位置を表示画面を２次元座標系として座標位置として認識し得るようになされている。
【００３８】
（２）スライドショー表示機能の設定
（２−１）コンテンツ選択画面の表示
実際にこの光ディスク記録再生装置１では、光ディスク２が装填された状態でユーザの操作に応じて当該光ディスク２の再生動作が実行されると、かかる光ディスク２の記録内容が読み出されて表示部２４の表示画面上には図２に示すようなコンテンツ選択画面Ｆ１が表示される。
【００３９】
このコンテンツ選択画面Ｆ１には、動画像、静止画像及びスライドショー用の画像群（以下、これをスライドショー用画像群と呼ぶ）の３種類のコンテンツの全部又は一部を含むファイルが、当該各ファイルの代表画像をそれぞれ所定サイズに縮小したサムネイル画像ＳＮ１〜ＳＮ８として所定の配列パターンで所定数（例えば８個）ずつ一覧表示されたコンテンツ表示部Ｆ１Ａと、光ディスク２に記録されている全てのファイルを８個単位で１ページとした場合の全体のページ数に対する現在のページ数を表すページ表示部Ｆ１Ｂと、各種の設定内容を入力するための設定入力部Ｆ１Ｃとから構成されている。
【００４０】
このうちコンテンツ表示部Ｆ１Ａにおいて、各ファイルに応じたサムネイル画像ＳＮ１〜ＳＮ８内には、それぞれ左上部にコンテンツの種別（動画像、静止画像及びスライドショー用画像群）を表すアイコンＩＣ１〜ＩＣ８が重畳表示されており、当該各サムネイル画像ＳＮ１〜ＳＮ８の下段には、名前やシリアル番号等でなるタイトル文字列の表示欄Ｍ１〜Ｍ８が表示されている。
【００４１】
また設定入力部Ｆ１Ｃは、左右両端に「←」及び「→」で表される矢印ボタンＢＴ１、ＢＴ２が設けられ、右端側の矢印ボタンＢＴ２を指定（タップ）するごとにページ数がインクリメントする一方、左端側の矢印ボタンＢＴ１を指定（タップ）するごとにページ数がデクリメントすると同時に、ページ表示部Ｆ１Ｂにおける現在のページ数もこれに応じて増減変更するようになされている。
【００４２】
さらに設定入力部Ｆ１Ｃは、左右両端の矢印ボタンＢＴ１、ＢＴ２の間に、「削除」、「再生」及び「スライドショー作成」の各設定ボタンＢＴ３〜ＢＴ５が設けられている。このうち「削除」の設定ボタンＢＴ３は、コンテンツ表示部Ｆ１Ａに表示された複数のファイルのサムネイル画像ＳＮ１〜ＳＮ８のうちユーザによって指定されたサムネイル画像に対応するファイルを削除するためのボタンである。また「再生」の設定ボタンＢＴ４は、コンテンツ表示部Ｆ１Ａに表示された複数のファイルのサムネイル画像ＳＮ１〜ＳＮ８のうちユーザによって指定されたサムネイル画像に対応するファイルを再生するためのボタンである。さらに「スライドショー作成」の設定ボタンＢＴ５は、後述する図３に示すスライドショー設定画面Ｆ２に遷移するためのボタンである。
【００４３】
このようにコンテンツ選択画面Ｆ１では、光ディスク２に記録されている各種コンテンツ（動画像、静止画像又はスライドショー用画像群）をファイルごとに表示部２４の表示画面上に一覧表示させるようになされ、さらにユーザにより指定されたファイルに対応するコンテンツを表示対象として再生動作に遷移し得るようになされている。
【００４４】
（２−２）スライドショー設定画面の表示
続いて光ディスク記録再生装置１では、光ディスク２が装填され、かつユーザの操作に応じて表示部２４の表示画面上に上述した図２に示すコンテンツ選択画面Ｆ１を表示させた状態で、当該コンテンツ選択画面Ｆ１の設定入力部Ｆ１Ｃにおける「スライドショー作成」の設定ボタンＢＴ５が指定（タップ）されると、表示部２４の表示画面上には図３に示すようなスライドショー設定画面Ｆ２が表示される。
【００４５】
このスライドショー設定画面Ｆ２は、光ディスク２から読み出したスライドショー用画像群を形成する複数の画像がそれぞれ所定の配列パターンで一覧表示されてなる対象画像表示部Ｆ２Ａと、全体再生時間やスライドショー枚数等の種々の数値内容が表示される数値表示部Ｆ２Ｂと、各種の設定内容を入力するための設定入力部Ｆ２Ｃとから構成されている。
【００４６】
このうち対象画像表示部Ｆ２Ａは、複数の画像をそれぞれ所定サイズに縮小してなるサムネイル画像ＳＮ１０〜ＳＮ１７が、所定の配列パターン（例えば縦横２×４）で所定枚数（例えば８枚）ずつ一覧表示されてなり、当該各サムネイル画像ＳＮ１０〜ＳＮ１７の下段には、名前やシリアル番号等でなるタイトル文字列の表示欄Ｍ１０〜Ｍ１７と、スライドショー表示時における当該画像の再生時間（以下、これを画像再生時間と呼ぶ）の表示欄ＳＴ０〜ＳＴ７とが表示されている。
【００４７】
この画像再生時間の表示欄ＳＴ０〜ＳＴ７の右端側には、上下ボタンＵＤ０〜ＵＤ７がＧＵＩ（Graphic User Interface）表示されており、ユーザの操作（主としてタップ）に応じて画像再生時間を秒単位でインクリメント又はデクリメントし得るようになされている。
【００４８】
また数値表示部Ｆ２Ｂは、スライドショー表示に要する全体時間（以下、これを全体再生時間と呼ぶ）を分秒単位で表す「全体再生時間」の表示欄Ｍ２０と、スライドショー表示として選択された画像の現在の選択枚数を表す「スライドショー枚数」の表示欄Ｍ２１と、指定されたスライドショー用画像群を形成する全ての画像を８枚単位で１ページとした場合の全体のページ数に対する現在のページ数を表す「頁」の表示欄Ｍ２２とからなる。
【００４９】
さらに設定入力部Ｆ２Ｃは、左右両端に「←」及び「→」で表される矢印ボタンＢＴ１０、ＢＴ１１が設けられ、右端側の矢印ボタンＢＴ１１を指定（タップ）するごとにページ数がインクリメントする一方、左端側の矢印ボタンＢＴ１０を指定（タップ）するごとにページ数がデクリメントすると同時に、「頁」の表示欄における現在のページ数もこれに応じて増減変更するようになされている。
【００５０】
また設定入力部Ｆ２Ｃは、左右両端の矢印ボタンＢＴ１０、ＢＴ１１の間に、「すべて選択」、「設定」、「スライドショー開始」、「スライドショー設定保存」及び「戻る」の各設定ボタンＢＴ１２〜ＢＴ１６が設けられている。このうち「すべて選択」の設定ボタンＢＴ１２は、全ての画像をスライドショー表示用に選択するためのボタンであり、実際に指定（タップ）されると、全ての画像が選択されると同時に、対象画像表示部Ｆ２Ａにおける全てのサムネイル画像ＳＮ１０〜ＳＮ１７の外枠が太字で表示されるようになされている。
【００５１】
また「設定」の設定ボタンＢＴ１３は、後述する図４に示す設定オプション画面Ｆ３に遷移するためのボタンであり、スライドショーに含める条件や各種の再生時間を設定し得るようになされている。さらに「スライドショー開始」の設定ボタンＢＴ１４は、現在の設定内容でスライドショーを開始するためのボタンであり、「スライドショー設定保存」の設定ボタンＢＴ１５は、現在の設定内容を後述するスライドショーファイルに変換して光ディスク２に記録するためのボタンである。「戻る」の設定ボタンＢＴ１６は、上述した図２に示すコンテンツ選択画面Ｆ１に遷移するためのボタンである。
【００５２】
ここで図４に示す設定オプション画面Ｆ３は、スライドショーに含める条件を設定するためのＧＵＩ画面であり、スライドショー用画像群を形成する全ての画像のうち、過去にスライドショー再生以外で画面表示させた日時を基準に、対象期間として指定された範囲内に該当するものを特定するための再生期間指定入力部Ｆ３Ａと、スライドショー表示時の各画像の画像再生時間を設定するための再生時間設定入力部Ｆ３Ｂとから構成されている。
【００５３】
この再生期間指定入力部Ｆ３Ａは、過去のスライドショー以外で画像を画面表示させた期間（以下、これを画面再生期間と呼ぶ）を指定すべく、当該画面再生期間の開始時期及び終了時期をそれぞれ設定入力することにより、その画面再生期間内でスライドショー再生以外で画面表示された画像のみを特定し得るようになされている。
【００５４】
具体的にこの再生期間指定入力部Ｆ３Ａは、左端の「再生期間指定」を表すチェックポイントＣＰ１がオン状態の場合のみ、年月日ごとにそれぞれ上下ボタンＵＤ１０〜ＵＤ１５がＧＵＩ表示された開始時期入力部Ｆ３ＡＸ及び終了時期入力部Ｆ３ＡＹが双方とも有効となり、当該開始時期入力部Ｆ３ＡＸ及び終了時期入力部Ｆ３ＡＹにおける各上下ボタンＵＤ１０〜ＵＤ１５がそれぞれ操作（タップ）されることにより、ユーザが所望する年月日が決定され得るようになされている。
【００５５】
また再生時間設定入力部Ｆ３Ｂは、「等間隔再生」及び「全体時間指定」の設定項目欄Ｍ３０、Ｍ３１を有し、当該各設定項目欄Ｍ３０、Ｍ３１の下段には、分秒ごとにそれぞれ上下ボタンＵＤ１６、ＵＤ１７がＧＵＩ表示された時間入力欄Ｍ３２が設けられている。この時間入力欄Ｍ３２は、「等間隔再生」又は「全体時間指定」のいずれの設定項目が選択された場合でも有効となり、当該選択された設定項目に応じた時間入力が可能である。
【００５６】
まず「等間隔再生」の設定項目が選択された場合、スライドショーとして次々と表示される各画像の画像再生時間を全て同一の時間間隔に設定することができ、このとき時間入力欄では、分秒ごとの上下ボタンＵＤ１６、ＵＤ１７が操作（タップ）されるごとに、画像再生時間をユーザが所望する同一の時間間隔で決定し得るようになされている。
【００５７】
一方、「全体時間指定」の設定項目が選択された場合、スライドショー表示に要する全体再生時間を設定することができ、このとき時間入力欄Ｍ３２では、分秒ごとの上下ボタンＵＤ１６、ＵＤ１７が操作（タップ）されるごとに、ユーザが所望する全体再生時間を決定し得るようになされている。
【００５８】
さらに「全体時間指定」の設定項目が選択された場合にのみ、各画像の画像再生時間の設定方法として「等間隔再生」、「これまでの再生回数重視」及び「これまでの再生時間重視」の設定項目欄Ｍ３３〜Ｍ３５のうちユーザが指定した設定項目が有効となるように設定されている。
【００５９】
このうち「等間隔再生」の設定項目が選択された場合、スライドショー表示に要する全体再生時間内で各画像を等間隔で再生するように、当該各画像の画像再生時間を自動的に求めるようになされている。具体的には、スライドショー表示に要する全体再生時間をｔ＿Ｔｉｍｅとし、スライドショー用画像群を形成する複数の画像の枚数をｔ＿Ｎｕｍとしたとき、当該各画像の画像再生時間ｅ＿Ｔｉｍｅは、次式
【００６０】
【数１】
0004935859.tif 000002
【００６１】
のように求められる。
【００６２】
また「これまでの再生回数重視」の設定項目が選択された場合、各画像の累計の再生回数が多いものから優先的に画像再生時間を割り当てるようになされている。ここでの再生回数とは、例えば、ある１つの画像について、スライドショー再生以外でユーザが行った再生操作の回数をカウントしたものである。これにより、ユーザがより多く閲覧した画像ほど、スライドショーにおいて長い再生時間が割り当てられることになる。
【００６３】
さらに「これまでの再生時間重視」の設定項目が選択された場合、各静止画像の累計の再生時間の長いものから優先的に静止画再生時間を割り当てるようになされている。ここで、再生時間とは、ある１つの画像について、スライドショー再生以外にユーザが行った再生操作指示に基づき、その画像が表示部に表示されていた時間を累計したものである。これにより、ユーザがより長い時間閲覧していた画像ほど、スライドショー再生において長い再生時間が割り当てられることになる。
【００６４】
また設定オプション画面Ｆ３の右下段には、設定入力部Ｆ３Ｃとして、現在の設定内容を実行するための「設定実行」の設定ボタンＢＴ２０と、現在の設定内容をキャンセルするための「中止」の設定ボタンＢＴ２１とが設けられている。
【００６５】
（３）スライドショー設定処理手順
実際に光ディスク記録再生装置１では、ユーザの操作に応じて装填された光ディスク２の再生動作が開始されると、システム制御マイコン４は、図５及び図６に示すスライドショー設定処理手順ＲＴ１をステップＳＰ０から開始し、続くステップＳＰ１において、表示部２４の表示画面上に上述した図２に示すコンテンツ選択画面Ｆ１を表示させる。
【００６６】
続いてシステム制御マイコン４は、ステップＳＰ２において、このコンテンツ選択画面Ｆ１を用いて所望のスライドショー用画像群が指定されたか否かを判断し、肯定結果が得られるのを待った後、ステップＳＰ３に進んで、表示部２４の表示画面上に上述した図３に示すようなスライドショー設定画面Ｆ２を表示させる。
【００６７】
さらにシステム制御マイコン４は、ステップＳＰ４に進んで、スライドショー設定画面Ｆ２から導かれる図４に示す設定オプション画面Ｆ３を用いて、再生期間が指定されたか否かを判断し、肯定結果が得られた場合にはステップＳＰ５に進んで、当該指定された再生期間内の画像を表すサムネイル画像のみスライドショー設定画面Ｆ２の対象画像表示部Ｆ２Ａに一覧表示させた後、ステップＳＰ６に進む一方、否定結果が得られた場合にはそのままステップＳＰ６に進む。
【００６８】
このステップＳＰ６において、システム制御マイコン４は、スライドショー設定画面Ｆ２に一覧表示された全てのサムネイル画像ＳＮ１０〜ＳＮ１７に対応するスライドショー用画像群と、これらのファイル名との対応関係を表すテーブル（以下、これをスライドショー対象画像テーブルと呼ぶ）を作成してメモリ１０に格納する。
【００６９】
やがてシステム制御マイコン４は、ステップＳＰ７に進んで、設定オプション画面Ｆ３を用いて全体再生時間の設定項目が選択され、かつスライドショー表示に要する全体時間が入力されたか否かを判断し、肯定結果が得られた場合にはステップＳＰ８に進んで、当該入力された全体再生時間を取得した後、ステップＳＰ９に進む。
【００７０】
このステップＳＰ９において、システム制御マイコン４は、再生頻度による重み付けが指定されたか否かを判断して、肯定結果が得られた場合にはステップＳＰ１０に進んで、サブルーチンとしての再生頻度データ解釈処理手順ＲＴ２（後述する図９）を実行した後、ステップＳＰ１１に進む。一方、このステップＳＰ９において否定結果が得られた場合には、システム制御マイコン４は、ステップＳＰ１２に進んで、全体再生時間を全ての画像の枚数で割算して得られる等間隔時間を取得した後、ステップＳＰ１１に進む。
【００７１】
これに対してステップＳＰ７において否定結果が得られた場合には、このことは全体再生時間が指定されなかったことを意味し、このときシステム制御マイコン４は、ステップＳＰ１３に進んで、設定オプション画面Ｆ３を用いて等間隔時間の設定項目が選択され、かつ共通の時間間隔が入力されたか否かを判断し、肯定結果が得られた場合にはステップＳＰ１４に進んで、当該入力された等間隔時間を取得した後、ステップＳＰ１１に進む。一方、このステップＳＰ１３において否定結果が得られた場合には、システム制御マイコン４は、ステップＳＰ１５に進んで、指定された各画像の再生時間を取得した後、ステップＳＰ１１に進む。
【００７２】
このステップＳＰ１１において、システム制御マイコン４は、スライドショー用画像群を形成する画像に増減変更があったか否かを判断し、否定結果が得られた場合のみステップＳＰ１６に進む一方、肯定結果が得られた場合には再度ステップＳＰ２に戻って上述と同様の処理を繰り返す。
【００７３】
このステップＳＰ１６において、システム制御マイコン４は、取得した各種の再生時間に基づいて、スライドショー用画像群を形成する各画像における画像再生時間を決定した後、ステップＳＰ１７に進んで、スライドショー設定テーブルを作成する。
【００７４】
さらにシステム制御マイコン４は、ステップＳＰ１８において、スライドショー設定テーブルを所定のデータ形式でなるスライドショーファイルに変換して光ディスクに記録させた後、そのままステップＳＰ１９に進んでスライドショー設定処理手順ＲＴ１を終了する。
【００７５】
このように光ディスク記録再生装置１では、スライドショー設定画面Ｆ２を用いてスライドショー用画像群を形成する各画像の静止画表示時間を、等間隔時間のみならずユーザの選択に応じてスライドショー表示に要する所望の全体再生時間を基準として設定することができ、当該設定内容をスライドショーファイルとして光ディスクに記録することができる。
【００７６】
かかるスライドショーファイルＳＦ１は、図７に示すように、１つのスライドショー用画像群について設定されたスライドショー設定テーブルを表すファイルデータであり、当該スライドショー用画像群に付けられたスライドショーファイル名と、スライドショー用画像群を形成する画像の枚数を表すスライドショーの枚数（＝ｎ）と、各画像ごとの管理情報を表すスライドショー再生情報Ｎｏ．１〜Ｎｏ．ｎとが順番に記述されている。
【００７７】
このうちスライドショー再生情報Ｎｏ．１〜Ｎｏ．ｎは、全ての画像の総数分だけ再生順に連続して配列されており、対応する画像に付けられた静止画ファイル名と、スライドショー時に当該画像の再生時間を表す画像再生時間と、任意の記録可能なデータを表すメタデータとが記述されている。
【００７８】
実際にこのスライドショーファイルＳＦ１を光ディスク２に記録する場合には、特別な記録領域を指定することなく、他の画像を表すファイルと同じように、例えば「ＳＬＩＤＥ００１．ＰＬＦ」のようなファイルとして任意の記録領域に記録される。またスライドショーファイルＳＦ１を形成するスライドショー再生情報Ｎｏ．１〜Ｎｏ．ｎと対応する各画像を表すファイル「００１．ＪＰＧ」、「０１２．ＪＰＧ」、「１２０．ＪＰＧ」、…も光ディスク２の任意の記録領域に記録されている。
【００７９】
なお図７において、ファイル「ＳＬＩＤＥ００１．ＰＬＦ」はスライドショーファイルＳＦ１そのものを表すため、スライドショーファイルＳＦ１から当該ファイルへ白抜き矢印で対応を表示したが、ファイル「００１．ＪＰＧ」、「０１２．ＪＰＧ」、「１２０．ＪＰＧ」、…はスライドショー再生情報Ｎｏ．１〜Ｎｏ．ｎに対応する画像ファイルをそれぞれ指し示すに過ぎないため、スライドショー再生情報Ｎｏ．１〜Ｎｏ．ｎから対応するファイルへ単なる矢印で対応を表示するようにした。
【００８０】
（４）再生頻度データ解釈処理手順
ここで光ディスク２には、記録されている各種のコンテンツ（動画像、静止画像及びスライドショー用画像群）を管理するための管理情報として、各コンテンツごとにファイル名と対応するコンテンツに関する諸情報であるメタデータとからなるタイトルエントリが形成され、これらタイトルエントリの集まりが単一のタイトルファイルＴＦ１として記録されるようになされている。
【００８１】
このタイトルファイルＴＦ１は、図８（Ａ）に示すように、先頭のタイトルヘッダと、各種コンテンツ（動画像、静止画像又はスライドショー用画像群）に対応するタイトルエントリＮｏ．１〜Ｎｏ．ｋ（ｋは自然数）とが記述されている。
【００８２】
このうち例えばタイトルエントリＮｏ．２がスライドショーファイルに対応するタイトルエントリである場合には、当該タイトルエントリには、対応するスライドショーファイル名及びそのスライドショーファイルに関するメタデータＭＤ２が記録されている（図８（Ａ）及び（Ｃ））。
【００８３】
ここで、画像ファイル用のタイトルエントリ（例えば図８（Ａ）のタイトルエントリＮｏ．１）のメタデータＭＤ１には、対応する画像がスライドショー機能以外で再生される度に記録される再生頻度データエントリ１〜ｍが再生された順に記録されている（以下、これを再生頻度データと呼ぶ）。
【００８４】
このスライドショーファイルＳＦ１を形成するスライドショー再生情報Ｎｏ．１〜Ｎｏ．ｎに記述されているメタデータＭＤ１には、過去のスライドショー以外で再生された数に相当する再生頻度データエントリ１〜ｎが再生順に記述されている（以下、これを再生頻度データと呼ぶ）。
【００８５】
この再生頻度データＭＤ１を形成する各再生頻度データエントリ１〜ｎには、スライドショー再生以外で画像を画面表示させた日時（年月日）を表す再生日時情報と、当該画面表示させた時間（時分秒）を表す再生時間情報とが記述されている（図８（Ｅ）及び（Ｆ））。
【００８６】
実際に図５において上述したスライドショー設定処理手順ＲＴ１のステップＳＰ１０において、システム制御マイコン４は、サブルーチンである図９に示す再生頻度データ解釈処理手順ＲＴ２を開始し、続くステップＳＰ２０において、再生頻度として再生回数又は再生時間のいずれが選択されたか否かを判断する。
【００８７】
具体的には上述した図４に示す設定オプション画面Ｆ３の再生時間設定入力部Ｆ３Ｂにおいて、「全体時間再生」の設定項目が選択された状態で、さらに「これまでの再生回数重視」又は「これまでの再生時間重視」のいずれかの設定項目が選択されたか否かを判断する。
【００８８】
このステップＳＰ２０において再生回数が選択されると、システム制御マイコン４は、ステップＳＰ２１に進んで、過去のスライドショー再生以外でユーザが行った再生操作の回数を累積した再生回数（以下、これを累積再生回数と呼ぶ）を、該当する画像に対応する再生頻度データＭＤ１の全ての再生頻度データエントリ１〜ｍ（図８（Ｅ）及び（Ｆ））に含まれる再生日時情報及び再生時間情報を解釈するようにして算出した後、ステップＳＰ２２に進む。
【００８９】
一方ステップＳＰ２０において再生時間が選択されると、システム制御マイコン４は、ステップＳＰ２３に進んで、過去にスライドショー再生以外で当該画像を画面表示させた時間の総和で求められる累積再生時間を、該当する画像に対応する再生頻度データＭＤ１の全ての再生頻度データエントリ１〜ｍに含まれる再生日時情報及び再生時間情報を解釈するようにして算出した後、ステップＳＰ２２に進む。
【００９０】
このステップＳＰ２２において、システム制御マイコン４は、スライドショー用画像群を形成する各画像とこれらの再生頻度（累積再生回数又は累積再生時間）との対応関係を表すテーブル（以下、これを再生頻度保持テーブルと呼ぶ）を作成又は更新してメモリ１０に格納した後、そのまま図６に示すスライドショー設定処理手順ＲＴ１のステップＳＰ１１に進むと同時に当該再生頻度データ解釈処理手順ＲＴ２を終了する。
【００９１】
この結果、システム制御マイコン４は、上述した図６に示すスライドショー設定処理手順ＲＴ１のステップＳＰ１６において、メモリ１０から読み出した再生頻度保持テーブルに基づく再生頻度（累積再生回数又は累積再生時間）による重み付けを行って、スライドショー用画像群を形成する各画像における画像再生時間を決定する。
【００９２】
具体的には、スライドショー用画像群を形成する全ての画像の再生頻度（累積再生回数又は累積再生時間）の総和をΣｆとし、スライドショー表示に要する全体再生時間をｔ＿Ｔｉｍｅとし、スライドショー用画像群を形成する各画像の再生頻度をｆ＿ｅとすると、当該各画像の画像再生時間ｅ＿Ｔｉｍｅは、次式
【００９３】
【数２】
0004935859.tif 000003
【００９４】
のように求められる。
【００９５】
なおこの光ディスク記録再生装置１では、光ディスク２に記録されている各種コンテンツからユーザが所望する画像が再生されるごとに、当該画像に対応する再生頻度データエントリを追加してメタデータ（再生頻度データ）ＭＤ１を更新するようになされている。
【００９６】
すなわち光ディスク２に記録されている各種コンテンツから画像が指定されると、システム制御マイコン４は、図１０に示す再生頻度データ更新処理手順ＲＴ３をステップＳＰ３０から開始し、続くステップＳＰ３１において、当該指定された画像を表示部２４の表示画面上に表示させる。
【００９７】
続いてシステム制御マイコン４は、ステップＳＰ３２に進んで、当該指定された画像の表示開始時刻を計測することにより日時（年月日）を取得して再生日時情報を作成した後、ステップＳＰ３３に進んで、ユーザの操作によって当該画像の再生が終了されたか否かを判断し、肯定結果が得られるまで待つ。
【００９８】
次いでシステム制御マイコン４は、このステップＳＰ３３において肯定結果を得ると同時に当該画像の表示終了時刻を計測した後、ステップＳＰ３４に進んで、指定された画像が画面表示された時間（時分秒）を算出して再生時間情報を作成する。
【００９９】
この後システム制御マイコン４は、ステップＳＰ３５において、再生日時情報及び再生時間情報を用いて再生頻度データエントリを生成し、続くステップＳＰ３６に進んで、かかる再生頻度データエントリを当該画像に対応する再生頻度データＭＤ１に追加するようにして更新した後、そのままステップＳＰ３７に進んで当該再生頻度データ更新処理手順ＲＴ３を終了する。
【０１００】
（５）スライドショー再生処理手順
実際に光ディスク記録再生装置１では、光ディスク２が装填された状態でユーザが各種コンテンツの中から所望のスライドショー用画像群を指定してスライドショー表示を実行する操作を行うと、システム制御マイコン４は、図１１に示すスライドショー再生処理手順ＲＴ４をステップＳＰ４０から開始し、続くステップＳＰ４１において、光ディスク２から指定されたスライドショー用画像群に対応するスライドショーファイルＳＦ１を読み出してメモリに取り込む。
【０１０１】
続いてシステム制御マイコン４は、ステップＳＰ４２において、スライドショーファイルＳＦ１に記述内容に基づいて、スライドショー用画像群を形成する画像の総枚数を取得した後、ステップＳＰ４３に進んで、当該画像に対応するスライドショー再生情報Ｎｏ．ｉ（ｉは任意に自然数）に記述されている静止画ファイル名を取得する。
【０１０２】
そしてシステム制御マイコン４は、ステップＳＰ４４に進んで、スライドショー再生情報Ｎｏ．ｉに記述されている画像再生時間を取得した後、ステップＳＰ４５に進んで、取得した静止画ファイル名に対応する画像を光ディスク２から読み出して表示部２４の表示画像上に表示させる。
【０１０３】
次いでシステム制御マイコン４は、ステップＳＰ４６に進んで、画像再生時間の計測を開始しながら、続くステップＳＰ４７において当該画像再生時間が経過するのを待つ。
【０１０４】
このステップＳＰ４７において肯定結果、すなわち画像再生時間が経過すると、システム制御マイコン４は、ステップＳＰ４８に進んで、スライドショー再生情報Ｎｏ．ｉが再生順番が最後のもの（Ｎｏ．ｎ）か否かを判断し、否定結果が得られた場合には、ステップＳＰ４９に進んで、次のスライドショー再生情報Ｎｏ．ｉをスライドショーファイルから読み込んだ後、再度ステップＳＰ４３に戻って、当該スライドショー再生情報Ｎｏ．ｉについて上述のステップＳＰ４４〜ＳＰ４９の処理を繰り返す。
【０１０５】
やがてステップＳＰ４８において肯定結果が得られると、このことは全てのスライドショー再生情報Ｎｏ．ｎに対応する画像を表示部２４の表示画面上に表示したことを表しており、このときシステム制御マイコン４は、ステップＳＰ５０に進んで、当該スライドショー再生処理手順ＲＴ４を終了する。
【０１０６】
（６）本実施の形態の動作及び効果
以上の構成において、この光ディスク記録再生装置１では、光ディスク２に記録されている各種コンテンツのうちユーザが所望するスライドショー用画像群を選択すると、表示部２４の表示画面上にスライドショー設定画面Ｆ２を表示させて、当該スライドショー用画像群を形成する各画像をサムネイル画像ＳＮ１０〜ＳＮ１７として一覧表示すると同時に、当該各画像の画像再生時間を任意に設定し得る状態にする。
【０１０７】
その際、ユーザの操作に応じてスライドショー設定画面Ｆ２から設定オプション画面Ｆ３に遷移した場合には、各画像の画像再生時間を等間隔に設定するか、又はスライドショー表示に要する全体再生時間をスライドショー用画像群の枚数に関係なく設定するかを選択可能な状態にする。
【０１０８】
このときユーザがスライドショー表示に要する全体再生時間を設定した場合には、スライドショー用画像群を形成する各画像の画像再生時間を、当該全体再生時間内で等間隔に割り当てるように演算処理することにより、スライドショー時においてユーザが設定した全体再生時間内にスライドショー用画像群を形成する全ての画像を同一の時間間隔で１枚ずつ連続して画面表示させることができる。
【０１０９】
さらに設定オプション画面Ｆ３には、全体再生時間内で各画像の画像再生時間を等間隔にするのみならず、必要に応じて、各画像ごとに、過去のスライドショー以外で画像を画面表示させた画面再生期間内における累積再生回数又は累積再生時間に基づいて、当該全体再生時間内で各画像の画像再生時間に差異を設けるようにしたことにより、ユーザによる再生頻度の高低に合わせて各画像の画像再生時間を長くしたり短くしたりすることができる。
【０１１０】
このようにスライドショー設定画面Ｆ２及び設定オプション画面Ｆ３を用いたユーザによる設定内容を表すスライドショー設定テーブルを、汎用性のある所定のデータ形式に変換してスライドショーファイルＳＦ１としてスライドショー用画像群と共に光ディスク２に記録するようにしたことにより、当該光ディスク２を装填した他の光ディスク記録再生装置（図示せず）において、かかるスライドショー設定テーブルに基づく設定内容のままスライドショー用画像群を形成する各画像を１枚ずつ連続して画面表示させることができる。
【０１１１】
以上の構成によれば、この光ディスク記録再生装置１では、装填された光ディスク２から読み出した所望のスライドショー用画像群について、当該スライドショー用画像群を形成する各画像の画像再生時間を、単に等間隔に設定するのみならず、ユーザの設定に応じたスライドショー表示に要する全体再生時間内で等間隔で又は再生頻度に応じた重み付けに従って設定するようにすると共に、当該設定内容を光ディスク２に記録するようにしたことにより、ユーザの嗜好に応じた表示態様でスライドショー表示機能を実行させると共に、光ディスク２を他の光ディスク記録再生装置（図示せず）で再生させることができ、かくしてユーザの嗜好に合わせた設定内容を容易に他機種において反映させることができる光ディスク記録再生装置１を実現することができる。
【０１１２】
（７）他の実施の形態
なお上述の実施の形態においては、本発明による記録再生装置を、図１に示すような光ディスク２に対して記録再生処理を施すようになされた光ディスク記録再生装置１に適用するようにした場合について述べたが、本発明はこれに限らず、要は、複数の画像を記録再生可能な記録媒体であれば、光ディスク以外にもメモリスティック、コンパクトフラッシュ（登録商標）、ＳＤカード、ＰＣカード又はスマートメディア等の種々の記録媒体に対して記録再生可能な記録再生装置に広く適用するようにしても良い。
【０１１３】
また上述の本実施の形態においては、光ディスク（記録媒体）２に記録された複数の画像を読み出す読出手段を、主として光ピックアップ１３及びドライブ制御マイコン１５から構成するようにした場合について述べたが、本発明はこれに限らず、要は、記録媒体の種類に応じて当該記録媒体の記録内容を読み出すことができれば、読出手段としては種々の構成のものを広く適用することができる。
【０１１４】
さらに上述の本実施の形態においては、複数の画像のうち指定された各画像を順次１枚ずつ再生させるスライドショー表示機能について、当該スライドショー表示機能に関する設定内容を入力するための設定入力手段を、表示部２４の表示画面上に表示されたスライドショー設定画面Ｆ２及び設定オプション画面Ｆ３と、当該表示画面上に取り付けられたタッチパネルと、システム制御マイコン４とから構成した場合について述べたが、本発明はこれに限らず、要は、スライドショー表示機能に関する設定内容を入力することができれば、操作部３を用いても良く、その他種々の設定入力手段に広く適用するようにしても良い。
【０１１５】
さらに上述の本実施の形態においては、スライドショー表示機能に関する設定内容のうち当該スライドショー表示機能に要する全体再生時間（全体時間）に基づいて、スライドショー表示機能の実行時における各画像の画像再生時間（再生時間）を制御する制御手段としてシステム制御マイコン４を適用するようにした場合について述べたが、本発明はこれに限らず、光ディスク記録再生装置１全体を司る制御手段以外にも種々の構成からなる制御手段に広く適用することができる。
【０１１６】
さらに上述の本実施の形態においては、スライドショー表示機能に関する設定内容としてのスライドショー設定テーブルを光ディスク（記録媒体）２に記録する記録手段を、主として光ピックアップ１３及びドライブ制御マイコン１５から構成するようにした場合について述べたが、本発明はこれに限らず、要は、記録媒体の種類に応じて当該記録媒体にスライドショー設定テーブル（設定内容）を記録することができれば、記録手段としては種々の構成のものを広く適用することができる。
【０１１７】
さらに上述の本実施の形態においては、システム制御マイコン（制御手段）４は、スライドショー表示機能に要する全体再生時間（全体時間）内で、当該スライドショー表示機能以外で再生された累積再生回数又は累積再生時間に基づく重み付けを行うようにして、各画像の画像再生時間（再生時間）を制御するようにした場合について述べたが、本発明はこれに限らず、累積再生回数や累積再生時間でなる再生頻度の高さがユーザの嗜好の高さに合致したと判断して、ユーザによる再生頻度の高低に合わせて各画像の画像再生時間を長くしたり短くしたりする以外にも、ユーザの意思を反映させることができれば、スライドショー表示機能に要する全体再生時間内で各画像の画像再生時間に差異を設けるようにしても良い。
【０１１８】
例えばユーザがスライドショー表示に要する全体再生時間内で所望の画像を１枚単位で指定して、当該各画像の画像再生時間を延長又は短縮した場合には、当該全体再生時間内で指定されなかった他の画像の画像再生時間を自動的に調整するようにしても良い。
【０１１９】
すなわち上述した図３に示すスライドショー設定画面Ｆ２を用いてユーザによりスライドショー再設定が実行されると、システム制御マイコン４は、図１２に示す静止画時間調整処理手順ＲＴ５をステップＳＰ６０から開始し、続くステップＳＰ６１において、ユーザが指定したスライドショー用画像群に対応するスライドショーファイルＳＦ１を光ディスク２から読み出してメモリ１０に格納する。
【０１２０】
続いてシステム制御マイコン４は、ステップＳＰ６２において、画像再生時間の変更対象となる画像が選択されたか否かを判断し、肯定結果が得られるのを待った後、ステップＳＰ６３に進んで、当該変更対象となる画像に設定されている画像再生時間を取得する。
【０１２１】
そしてシステム制御マイコン４は、ステップＳＰ６４に進んで、ユーザの操作に応じて変更対象となる画像について画像再生時間の新たな設定を行った後、ステップＳＰ６５に進んで、新しい画像再生時間と以前の画像再生時間との差分Δｔを計算する。
【０１２２】
さらにシステム制御マイコン４は、ステップＳＰ６６において、選択した画像以外の画像の数ｒ＿Ｎｕｍを取得した後、ステップＳＰ６７に進んで、当該選択した画像以外の各画像の画像再生時間ｒ＿Ｔｉｍｅを再設定する。すなわち選択した画像以外の各画像の画像再生時間ｒ＿Ｔｉｍｅは、次式
【０１２３】
【数３】
0004935859.tif 000004
【０１２４】
のように求められる。
【０１２５】
この後、システム制御マイコン４は、ステップＳＰ６８に進んで、スライドショー設定テーブルを再設定した後、そのままステップＳＰ６９において当該静止画時間調整処理手順ＲＴ５を終了する。
【０１２６】
このようにしてスライドショー表示に要する全体再生時間を維持したまま、当該全体再生時間内でユーザが所望する画像を１枚単位で指定して画像再生時間を延長又は短縮することができると同時に、当該指定されなかった他の画像の画像再生時間を自動的に調整することができ、全ての画像に対して１枚ずつ画像再生時間を設定する手間がかかるのを未然に防止することができる。
【０１２７】
さらに上述の本実施の形態においては、光ディスク（記録媒体）２にスライドショー設定テーブル（設定内容）が記録されている場合には、光ピックアップ（読出手段）１３は、当該光ディスク（記録媒体）２からスライドショー表示機能に関する設定内容としてのスライドショー設定テーブル（設定内容）を読み出し、システム制御マイコン（制御手段）４は、スライドショー設定テーブル（設定内容）に基づいて、スライドショー表示機能の実行時における各画像の画像再生時間（再生時間）を制御し、光ピックアップ（記録手段）１３は、スライドショー設定テーブル（設定内容）を光ディスク（記録媒体）２に記録するようにした場合について述べたが、本発明はこれに限らず、要は、既に記録媒体にスライドショー設定テーブル（設定内容）が記録されている場合には、他の記録再生手段において当該スライドショー設定テーブル（設定内容）に基づいてスライドショー表示機能の実行時における各画像の画像再生時間を制御することができれば、この他種々の手法を適用するようにしても良い。
【産業上の利用可能性】
【０１２８】
本発明は、再生装置及び再生方法において、光ディスク記録再生装置の他、種々の記録媒体に記録されている画像を記録再生可能な種々の記録再生装置に広く適用することができる。
【符号の説明】
【０１２９】
１……光ディスク記録再生装置、２……光ディスク、４……システム制御マイコン、１３……光ピックアップ、１０、２０……メモリ、２４……表示部、Ｆ１……コンテンツ選択画面、Ｆ２……スライドショー設定画面、Ｆ３……設定オプション画面、ＲＴ１……スライドショー設定処理手順、ＲＴ２……再生頻度データ解釈処理手順、ＲＴ３……再生頻度データ更新処理手順、ＲＴ４……スライドショー再生処理手順、ＲＴ５……画像時間調整処理手順、ＳＴ１……スライドショーファイル。
【図１】
0004935859.tif 000005
【図２】
0004935859.tif 000006
【図３】
0004935859.tif 000007
【図４】
0004935859.tif 000008
【図５】
0004935859.tif 000009
【図６】
0004935859.tif 000010
【図７】
0004935859.tif 000011
【図８】
0004935859.tif 000012
【図９】
0004935859.tif 000013
【図１０】
0004935859.tif 000014
【図１１】
0004935859.tif 000015
【図１２】
0004935859.tif 000016